(57)【要約】【課題】未加硫ゴムシートのステッチングを行うに際して、成形ドラムを回転させる回数を減少させて、ステッチング時間を短縮することができるステッチング装置および前記ステッチング装置を用いたステッチング方法を提供する。【解決手段】複数の未加硫ゴムシートを押え付けることにより密着させるステッチング装置であって、未加硫ゴムシートを押さえ付ける押え手段が成形ドラムの周方向に位置をずらせて複数配設されており、押え手段のそれぞれは複数の押えローラーを備えており、複数の押えローラーは、未加硫ゴムシートの幅方向の中央領域を押え付ける中央押えローラーと、中央領域の外側の両側領域を押え付ける１対または２対以上の両側押えローラーとから構成されており、複数の押えローラーが中央領域から両側領域に向けて順次、未加硫ゴムシートを押え付けるように複数の押えローラーの各々を制御する制御手段を備えているステッチング装置。【選択図】図１
2015223781.tif 000002
【特許請求の範囲】
【請求項１】
成形ドラム上に巻き重ねられた複数の未加硫ゴムシートを幅方向の中央から外側に向けて押え付けることにより密着させるステッチング装置であって、
前記未加硫ゴムシートを押さえ付ける押え手段が、前記成形ドラムの周方向に位置をずらせて複数配設されており、
前記押え手段のそれぞれは、複数の押えローラーを備えており、
前記複数の押えローラーは、前記未加硫ゴムシートの幅方向の中央領域を押え付ける中央押えローラーと、前記中央領域の外側の両側領域を押え付ける１対または２対以上の両側押えローラーとから構成されており、
さらに、前記複数の押えローラーが、前記中央領域から前記両側領域に向けて順次、前記未加硫ゴムシートを押え付けるように、前記複数の押えローラーの各々を制御する制御手段を備えている
ことを特徴とするステッチング装置。
【請求項２】
前記両側押えローラーのそれぞれが、先に押え付けられた前記未加硫ゴムシートと一部ラップして、前記未加硫ゴムシートを押え付けるように配置されていることを特徴とする請求項１に記載のステッチング装置。
【請求項３】
前記両側押えローラーが、前記未加硫ゴムシートの中央領域の両外側の第１両側領域を押え付ける第１両側押えローラーと、前記第１両側領域の両外側の第２両側領域を押え付ける第２両側押えローラーとから構成されていることを特徴とする請求項１または請求項２に記載のステッチング装置。
【請求項４】
請求項１ないし請求項３のいずれか１項に記載のステッチング装置を用いたステッチング方法であって、
前記複数の押えローラーが、前記中央領域から前記両側領域に向けて順次、前記未加硫ゴムシートを押え付けるように、前記複数の押えローラーの各々を制御して、
前記押えローラーにより、前記複数の未加硫ゴムシートを幅方向の中央から外側に向けて順次押え付けて、前記複数の未加硫ゴムシートを密着させる
ことを特徴とするステッチング方法。
【発明の詳細な説明】
【技術分野】
【０００１】
本発明は、回転する成形ドラム上に巻き重ねられた複数の未加硫ゴムシートを押え付けるステッチング装置および前記ステッチング装置を用いたステッチング方法に関する。
【背景技術】
【０００２】
空気入りタイヤの製造工程においては、回転する成形ドラム上に順次巻き重ねられた複数の未加硫ゴムシート（例えばインナーライナーゴムやカーカスプライなど）を外側から押え付けて、この未加硫ゴムシート同士を密着させること（ステッチング）が行われている（例えば、特許文献１、２）。
【０００３】
図３（ａ）（ｂ）は従来のステッチング装置の一例を模式的に示す側面図および平面図である。図３に示すように、このステッチング装置は、未加硫ゴムシートを押え付ける押え手段Ｘを備えており、この押え手段Ｘは、成形ドラムＡの軸方向（未加硫ゴムシートＢの幅方向）に対して平行に並べられた６個（３対）の押えローラーを有している。
【０００４】
このステッチング装置を用いたステッチング作業は以下の手順で行われる。まず、６個の押えローラーのうち、未加硫ゴムシートの中央領域を押え付ける１対の中央押えローラーａで未加硫ゴムシートＢを押え付けながら成形ドラムＡを１回転させることにより、未加硫ゴムシートＢの中央領域を全周に亘って密着させる。
【０００５】
次に、中央押えローラーａの両外側に位置する１対の第１両側押えローラーｂで未加硫ゴムシートＢを押え付けながら成形ドラムＡを１回転させることにより、未加硫ゴムシートＢの中央領域の両側を全周に亘って密着させる。
【０００６】
最後に、最外側に位置する１対の第２両側押えローラーｃで未加硫ゴムシートＢの両側縁を押え付けながら成形ドラムＡを１回転させる。これにより、未加硫ゴムシートＢが中央部から両外側に向けて順次押え付けられて、巻き重ねられた未加硫ゴムシートＢの間のエアーを外側に逃がしながら未加硫ゴムシートの全体が密着される。
【先行技術文献】
【特許文献】
【０００７】
【特許文献１】特開２００３―１９１３４９号公報
【特許文献２】特開平５−２９３９１１号公報
【発明の概要】
【発明が解決しようとする課題】
【０００８】
しかしながら、上記の場合、成形ドラムを複数回回転させる必要があり、ステッチングが完了するまでに時間が掛かるという問題があった。具体的には、図３に示すステッチング装置の場合、上記したように、成形ドラムＡを最低３回回転させる必要がある。
【０００９】
そこで、本発明は、未加硫ゴムシートのステッチングを行うに際して、成形ドラムを回転させる回数を減少させて、ステッチング時間を短縮することができるステッチング装置および前記ステッチング装置を用いたステッチング方法を提供することを課題とする。
【課題を解決するための手段】
【００１０】
本発明者は、上記課題を解決するため鋭意検討を行った結果、以下に記載する発明により上記課題が解決できることを見出し、本発明を完成させるに至った。
【００１１】
請求項１に記載の発明は、
成形ドラム上に巻き重ねられた複数の未加硫ゴムシートを幅方向の中央から外側に向けて押え付けることにより密着させるステッチング装置であって、
前記未加硫ゴムシートを押さえ付ける押え手段が、前記成形ドラムの周方向に位置をずらせて複数配設されており、
前記押え手段のそれぞれは、複数の押えローラーを備えており、
前記複数の押えローラーは、前記未加硫ゴムシートの幅方向の中央領域を押え付ける中央押えローラーと、前記中央領域の外側の両側領域を押え付ける１対または２対以上の両側押えローラーとから構成されており、
さらに、前記複数の押えローラーが、前記中央領域から前記両側領域に向けて順次、前記未加硫ゴムシートを押え付けるように、前記複数の押えローラーの各々を制御する制御手段を備えている
ことを特徴とするステッチング装置である。
【００１２】
請求項２に記載の発明は、
前記両側押えローラーのそれぞれが、先に押え付けられた前記未加硫ゴムシートと一部ラップして、前記未加硫ゴムシートを押え付けるように配置されていることを特徴とする請求項１に記載のステッチング装置である。
【００１３】
請求項３に記載の発明は、
前記両側押えローラーが、前記未加硫ゴムシートの中央領域の両外側の第１両側領域を押え付ける第１両側押えローラーと、前記第１両側領域の両外側の第２両側領域を押え付ける第２両側押えローラーとから構成されていることを特徴とする請求項１または請求項２に記載のステッチング装置である。
【００１４】
請求項４に記載の発明は、
請求項１ないし請求項３のいずれか１項に記載のステッチング装置を用いたステッチング方法であって、
前記複数の押えローラーが、前記中央領域から前記両側領域に向けて順次、前記未加硫ゴムシートを押え付けるように、前記複数の押えローラーの各々を制御して、
前記押えローラーにより、前記複数の未加硫ゴムシートを幅方向の中央から外側に向けて順次押え付けて、前記複数の未加硫ゴムシートを密着させる
ことを特徴とするステッチング方法である。
【発明の効果】
【００１５】
本発明によれば、未加硫ゴムシートのステッチングを行うに際して、成形ドラムを回転させる回数を減少させて、ステッチング時間を短縮することができるステッチング装置および前記ステッチング装置を用いたステッチング方法を提供することができる。
【図面の簡単な説明】
【００１６】
【図１】本発明の一実施の形態に係るステッチング装置を模式的に示す側面図および平面図である。
【図２】本発明の一実施の形態に係るステッチング装置の押え手段を示す側面図である。
【図３】従来のステッチング装置の一例を模式的に示す側面図および平面図である。
【発明を実施するための形態】
【００１７】
以下、本発明を実施の形態に基づき、図面を用いて説明する。
【００１８】
なお、以下の説明では、ステッチング装置が３つの押え手段を備え、それぞれの押え手段が１対の中央押えローラーと、１対の第１両側押えローラーと、１対の第２両側押えローラーの計６個（３対）の押えローラーを有する場合を例に挙げて説明する。
【００１９】
図１は本実施の形態に係るステッチング装置を模式的に示す（ａ）側面図および（ｂ）平面図である。図２は本実施の形態に係るステッチング装置の押え手段を示す側面図である。
【００２０】
本実施の形態に係るステッチング装置は、図１（ａ）に示すように、成形ドラムＡの周方向にずらせて等間隔（１２０度間隔）に配置されて未加硫ゴムシートＢを押え付ける３つの押え手段Ｃと、これらの押え手段Ｃを制御する制御手段（図示せず）とを備えている。
【００２１】
各押え手段Ｃは、図１（ｂ）に示すように、未加硫ゴムシートＢの中央領域を押え付ける１対の中央押えローラー１と、未加硫ゴムシートＢの中央領域の両外側である第１両側領域を押え付ける１対の第１両側押えローラー２と、第１両側領域の両外側の第２両側領域を押え付ける１対の第２両側押えローラー３とを備えている。
【００２２】
そして、第１両側押えローラー２と第２両側押えローラー３のそれぞれは、先に押え付けられた未加硫ゴムシートＢと幅方向に一部ラップして、未加硫ゴムシートＢを押え付けるように幅方向にずれて重なった状態で配置されている。このため、第１両側押えローラー２と第２両側押えローラー３とは、成形ドラムＡの周方向にローラー１個の直径分だけずらして配置されている。
【００２３】
図２に示すように、それぞれの押えローラー１〜３には、シリンダ４〜６が取り付けられており、シリンダ４〜６は、ピストンロッド４ａ〜６ａを進退させることにより、それぞれの押えローラー１〜３を未加硫ゴムシートＢに接触および離間させるように制御されている。
【００２４】
本実施の形態に係るステッチング装置を用いて、未加硫ゴムシートＢのステッチングを行う場合、図１に示すように、まず、１２０度間隔で配置された３つの押え手段Ｃの全てにおいて、中央押えローラー１のみを未加硫ゴムシートＢに押え付けながら成形ドラムＡを１／３回転させる。これにより、未加硫ゴムシートＢの中央領域のみが成形ドラムＡの全周に亘って密着される。
【００２５】
次に、第１両側押えローラー２を未加硫ゴムシートＢに押え付けながら成形ドラムＡを１／３回転させることにより、未加硫ゴムシートＢの第１両側領域が全周に亘って密着される。
【００２６】
最後に、第２両側押えローラー３を未加硫ゴムシートＢに押え付けながら成形ドラムＡを１／３回転させることにより、未加硫ゴムシートＢの第２両側領域が全周に亘って密着される。
【００２７】
このように、本実施の形態によれば、３つの押え手段Ｃが成形ドラムＡの周方向に位置をずらせて等間隔（１２０度間隔）に配置されている。そして、成形ドラムＡを１／３回転させる毎に、それぞれの押え手段Ｃが、未加硫ゴムシートＢを幅方向の中央側から両外側に向けて順次押え付けるように、制御手段が各押えローラー１〜３を制御している。このため、成形ドラムＡを１回転させるだけで、未加硫ゴムシートＢ全体のステッチングを行うことができる。この結果、従来のステッチング装置に比べて、成形ドラムＡを回転させる回数を減少させて、ステッチング時間を短縮することができる。
【００２８】
さらに、未加硫ゴムシートＢを幅方向の中央側から両外側に向けて順次押え付けることにより、未加硫ゴムシートＢ間のエアーを外側に逃がしながら未加硫ゴムシートの全体を適切に密着させてステッチングを行うことができる。
【００２９】
そして、本実施の形態では、上記した通り、先に押え付けられた未加硫ゴムシートＢと幅方向に一部ラップして、未加硫ゴムシートＢを押え付けるように第１両側押えローラー２と第２両側押えローラー３が配置されている。これにより、未加硫ゴムシートＢの中央領域の一部が第１両側押えローラー２により押え付けられ、また、第１両側領域の一部が第２両側押えローラー３により押え付けられる。このため、未加硫ゴムシートの押さえ付けられた部分の間に隙間が生じることを防止することができる。このため、従来のステッチング装置のように未加硫ゴムシートＢの幅方向に対して平行に複数の押えローラーを並べた場合と異なり、押さえ付けられた部分の間に隙間が生じて、エアー残りが発生する恐れがない。
【００３０】
なお、一般的なサイズのタイヤの場合、通常、上記のように、１対の中央押えローラー、１対の第１両側押えローラー、１対の第２両側押えローラーの３対の押えローラーを有する押え手段を１２０度（３６０度／３）間隔で３つ配置してステッチングを行うことが好ましいが、幅が大きいサイズのタイヤの場合などには、押えローラーの数と押え手段の数を変更することにより、上記と同様に、成形ドラムを１回転させるだけでステッチングを行うことができる。
【００３１】
例えば、押えローラーが４対（両側押えローラーが３対）の押え手段の場合には、４つの押え手段を成形ドラムの周方向に９０度（３６０度／４）間隔で配置し、成形ドラムを１／４回転させる毎に中央領域から両側領域に向けて未加硫ゴムシートが押え付けるように、各押えローラーを制御すればよい。
【００３２】
また、中央押えローラーは、必ずしも対で配置されている必要はなく、１個の押えローラーのみで構成されていてもよい。この場合には、他の押えローラーよりも、軸方向が長い押えローラーを中央押えローラーとして用いることが好ましい。
【００３３】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３４】
Ａ          成形ドラム
Ｂ          未加硫ゴムシート
Ｃ、Ｘ      押え手段
１、ａ      中央押えローラー
２、ｂ      第１両側押えローラー
３、ｃ      第２両側押えローラー
４〜６      シリンダ
４ａ〜６ａ  ピストンロッド
【図１】
2015223781.tif 000003
【図２】
2015223781.tif 000004
【図３】
2015223781.tif 000005